(57)【要約】【課題】本発明では、ＲＯＩ領域および／またはタイルの領域設定を電子カメラにおいて簡易かつ適切に実施することを目的とする。【解決手段】本発明の電子カメラは、次のような撮像部、ガイド部、表示部、および圧縮処理部を備える。すなわち、撮像部は、被写体を撮像して画像データを生成する。ガイド部は、ユーザーによる撮影対象の種類選択に応じて、推奨構図を案内するためのガイド表示を決定する。表示部は、撮像部で撮像されたモニタ用の画像データに、決定されたガイド表示を合成して表示する。圧縮処理部は、決定されたガイド表示に対応して予め設定される画像領域を、画像圧縮に使用するＲＯＩ領域および／またはタイルに選定した上で、撮像部で撮像された記録用の画像データを画像圧縮する。【選択図】        図３
2005027076.tif 000002
【特許請求の範囲】
【請求項１】
被写体を撮像して画像データを生成する撮像部と、
ユーザーによる撮影対象の種類選択に応じて、推奨構図を案内するためのガイド表示を決定するガイド部と、
前記撮像部で撮像されたモニタ用の画像データに、前記ガイド表示を合成して表示する表示部と、
前記ガイド表示に対応して予め設定される画像領域を、画像圧縮に使用するＲＯＩ領域および／またはタイルに選定した上で、前記撮像部で撮像された記録用の画像データを画像圧縮する圧縮処理部と
を備えたことを特徴とする電子カメラ。
【請求項２】
被写体を撮像して画像データを生成する撮像部と、
前記画像データを表示画面に表示する表示部と、
前記表示画面上において領域入力を検出するタブレット部と、
前記タブレット部を介して領域入力された画像領域を、画像圧縮に使用するＲＯＩ領域および／またはタイルに選定した上で、前記撮像部で撮像された記録用の画像データを画像圧縮する圧縮処理部と
を備えたことを特徴とする電子カメラ。
【請求項３】
撮影レンズを介して被写体を撮像し、画像データを生成する撮像部と、
撮影画面内から焦点検出エリアを選択し、選択された焦点検出エリアの被写体に前記撮影レンズを合焦させる焦点制御部と、
前記『選択された焦点検出エリア』に対応する画像領域を、画像圧縮に使用するＲＯＩ領域および／またはタイルに選定した上で、前記撮像部で撮像された記録用の画像データを画像圧縮する圧縮処理部と
を備えたことを特徴とする電子カメラ。
【請求項４】
被写体を撮像して画像データを生成する撮像部と、
予め定められた領域区分を前記画像データに合成して表示する表示部と、
ユーザーからの操作入力に応じて、前記領域区分により分割された複数の画像領域から少なくとも一つを選択する操作部と、
前記操作部を介して選択された画像領域を、画像圧縮に使用するＲＯＩ領域および／またはタイルに選定した上で、前記撮像部で撮像された記録用の画像データを画像圧縮する圧縮処理部と
を備えたことを特徴とする電子カメラ。
【請求項５】
被写体を撮像して画像データを生成する撮像部と、
前記画像データに対して、その部分である画像領域の範囲および／または位置を示す指標を合成表示する表示部と、
ユーザーからの操作入力に応じて前記指標の表示位置を移動することにより、前記画像領域の指定を受け付ける操作部と、
前記操作部を介して指定された前記画像領域を基準にして、画像圧縮に使用するＲＯＩ領域および／またはタイルを選定した上で、前記撮像部で撮像された記録用の画像データを画像圧縮する圧縮処理部と
を備えたことを特徴とする電子カメラ。
【請求項６】
請求項１ないし請求項５のいずれか１項に記載の電子カメラにおいて、
前記圧縮処理部は、ＪＰＥＧ２０００に準拠した画像圧縮を実施する
ことを特徴とする電子カメラ。
【発明の詳細な説明】
【０００１】
【発明の属する技術分野】
本発明は、画像圧縮を実施する電子カメラにおいて、ＲＯＩ領域および／またはタイルを適宜に領域設定する技術に関する。
【０００２】
【従来の技術】
１９９９年１２月、ＪＰＥＧ２０００の画像圧縮アルゴリズムの委員会案（ＣＤ：Ｃｏｍｍｉｔｔｅｅ  Ｄｒａｆｔ）が作成され、核となる主要な技術内容が凍結された。
以下、このＪＰＥＧ２０００の画像圧縮処理について概略説明する。
【０００３】
▲１▼色座標変換
入力画像は、必要に応じて色座標変換が施される。
【０００４】
▲２▼タイル分割
入力画像は、必要に応じて複数の矩形領域（以下『タイル』という）に分割される。各タイルには、以降の符号化処理が独立に施される。
【０００５】
▲３▼ウェーブレット変換
入力画像は、縦横２方向に離散ウェーブレット変換が施され、複数のサブバンド（１ＬＬ，１ＬＨ，１ＨＬ，１ＨＨ）に周波数分解される。この内、直流成分を含む１ＬＬには、更に離散ウェーブレット変換が施され、複数のサブバンド（２ＬＬ，２ＬＨ，２ＨＬ，２ＨＨ）に周波数分解される。
このように離散ウェーブレット変換を再帰的に繰り返すことにより、画像データはサブバンドに分解される。
【０００６】
▲４▼量子化
ウェーブレット変換係数は、サブバンドごとに定められた量子化ステップ幅により量子化される。なお、ロッシー／ロスレスの統一処理においては、量子化ステップが「１」に設定される。この場合、ロッシー圧縮では、後工程において下位Ｎビットプレーンの廃棄が行われる。この廃棄処理は、量子化ステップ「２のＮ乗」と等価な処理となる。
【０００７】
▲５▼ビットモデリング
量子化後のウェーブレット変換係数を各サブバンド内で固定サイズ（例えば６４×６４）の符号化ブロックに分割する。各符号ブロック内の変換係数は、サインビットと絶対値に分けられた後、絶対値は、自然２進数のビットプレーンに振り分けられる。このように構築されたビットプレーンは、上位ビットプレーンから順に、３通りの符号化パス（Ｓｉｇｎｉｆｉｃａｎｃｅ  ｐａｓｓ，Ｒｅｆｉｎｅｍｅｎｔ  ｐａｓｓ，Ｃｌｅａｎｕｐ  ｐａｓｓ）を通して符号化される。なお、サインビットについては、対応する絶対値の最上位ビットがビットプレーンに現れた直後に符号化が行われる。
【０００８】
▲６▼ＲＯＩ（Ｒｅｇｉｏｎ  Ｏｆ  Ｉｎｔｅｒｅｓｔ）符号化
画像上の部分的な選択領域（以下、ＲＯＩ領域という）に優先的に情報量を割り当て、ＲＯＩ領域の復号化画質を高める機能である。具体的には、ＲＯＩ領域に位置する量子化後の変換係数をＳビットだけシフトアップする。その結果、ＲＯＩ領域は、上位のビットプレーンにシフトされ、非ＲＯＩ領域のどのビットよりも優先的に符号化がなされる。
なお、マックスシフト法では、ビットシフト数Ｓを非ＲＯＩ領域の最上位ビットの桁数よりも大きく設定する。そのため、ＲＯＩ領域の非ゼロの変換係数は、必ず「２のＳ乗」以上の値をとる。そこで、復号化時は、「２のＳ乗」以上の量子化値を選択的にシフトダウンすることにより、ＲＯＩ領域の変換係数を容易に復元することができる。
【０００９】
▲７▼算術符号化
符号化データには、さらにＭＱコーダーによる算術符号化が施される。
【００１０】
▲８▼ビットストリーム形成
入力画像の符号化データを所定順（ＳＮＲプログレッシブなど）にまとめ、ビットストリームを形成する。
【００１１】
その他、ＪＰＥＧ２０００については、下記の特許文献１が知られている。
この特許文献１には、ＲＯＩ領域の面積を調整することによって、非ＲＯＩ領域の画質劣化を適正範囲に設定する技術が記載されている。
【特許文献１】
特開２００２−１７６６５０公報
【００１２】
【発明が解決しようとする課題】
ところで、上述したＲＯＩ領域およびタイルの領域設定に当たっては、画面内の重要な箇所を包含するように適切に設定することが好ましい。
【００１３】
しかしながら、電子カメラでは、ユーザーは撮影に専念しなければならない。そのため、電子カメラにおいて、ＲＯＩ領域やタイルの領域設定に関するユーザー操作は、なるべく簡単かつ迅速にできることが好ましい。
そこで、本発明では、ＲＯＩ領域および／またはタイルの領域設定を、電子カメラにおいて適切かつ簡易に実施することを目的とする。
【００１４】
【課題を解決するための手段】
以下、本発明について説明する。
【００１５】
《請求項１》
請求項１の電子カメラは、下記のような撮像部、ガイド部、表示部、および圧縮処理部を備える。すなわち、撮像部は、被写体を撮像して画像データを生成する。ガイド部は、ユーザーによる撮影対象の種類選択に応じて、推奨構図を案内するためのガイド表示を決定する。表示部は、撮像部で撮像されたモニタ用の画像データに、決定されたガイド表示を合成して表示する。圧縮処理部は、決定されたガイド表示に対応して予め設定される画像領域を、画像圧縮に使用するＲＯＩ領域および／またはタイルに選定した上で、撮像部で撮像された記録用の画像データを画像圧縮する。
通常、ユーザーは、ガイド表示が案内する推奨構図に合わせて、主要被写体の画面内配置を決定する。したがって、このガイド表示に基づいて、画面内の主要被写体の配置範囲を高い信頼性で推定できる。
そこで、例えば、ガイド表示から推定される主要被写体の配置範囲をＲＯＩ領域に選択することによって、主要被写体の圧縮劣化を適切に低減できる。
また例えば、ガイド表示から推定される主要被写体の配置範囲をさけてタイル境界を配置することにより、タイル境界の圧縮歪みが主要被写体に重なるといった弊害を適切に防止できる。
【００１６】
《請求項２》
請求項２の電子カメラは、下記のような撮像部、表示部、タブレット部、および圧縮処理部を備える。すなわち、撮像部は、被写体を撮像して画像データを生成する。表示部は、画像データを表示画面に表示する。タブレット部は、表示画面上において領域入力を検出する。圧縮処理部は、タブレット部を介して領域入力された画像領域を、画像圧縮に使用するＲＯＩ領域および／またはタイルに選定した上で、撮像部で撮像された記録用の画像データを画像圧縮する。
【００１７】
《請求項３》
請求項３の電子カメラは、下記のような撮像部、焦点制御部、および圧縮処理部を備える。すなわち、撮像部は、撮影レンズを介して被写体を撮像して、画像データを生成する。焦点制御部は、撮影画面内から焦点検出エリアを選択し、選択された焦点検出エリアの被写体に撮影レンズを合焦させる。圧縮処理部は、『選択された焦点検出エリア』に対応する画像領域を、画像圧縮に使用するＲＯＩ領域および／またはタイルに選定した上で、撮像部で撮像された記録用の画像データを画像圧縮する。
通常、選択された焦点検出エリアには、主要被写体が存在する確率が高い。
そこで、例えば、この選択エリアから推定される主要被写体の配置範囲をＲＯＩ領域に選択することにより、主要被写体の圧縮劣化を適切に低減できる。
また例えば、この選択エリアから推定される主要被写体の配置範囲をさけてタイル境界を配置することにより、タイル境界の圧縮歪みが主要被写体に重なるといった弊害を適切に防止できる。
【００１８】
《請求項４》
請求項４の電子カメラは、下記のような撮像部、表示部、操作部、および圧縮処理部を備える。すなわち、撮像部は、被写体を撮像して画像データを生成する。表示部は、予め定められた領域区分を画像データに合成して表示する。操作部は、ユーザーからの操作入力に応じて、領域区分により分割された複数の画像領域から少なくとも一つを選択する。圧縮処理部は、操作部を介して選択された画像領域を、画像圧縮に使用するＲＯＩ領域および／またはタイルに選定した上で、撮像部で撮像された記録用の画像データを画像圧縮する。
【００１９】
《請求項５》
請求項５の電子カメラは、下記のような撮像部、表示部、操作部、および圧縮処理部を備える。すなわち、撮像部は、被写体を撮像して画像データを生成する。表示部は、画像データに対して、その部分である画像領域の範囲および／または位置を示す指標を合成表示する。操作部は、ユーザーからの操作入力に応じて指標の表示位置を移動することにより、画像領域の指定を受け付ける。圧縮処理部は、操作部を介して指定された画像領域を基準にして、画像圧縮に使用するＲＯＩ領域および／またはタイルを選定した上で、撮像部で撮像された記録用の画像データを画像圧縮する。
【００２０】
《請求項６》
請求項６の電子カメラは、請求項１ないし請求項５のいずれか１項に記載の電子カメラにおいて、圧縮処理部は、ＪＰＥＧ２０００に準拠した画像圧縮を実施する。
【００２１】
【発明の実施の形態】
以下、図面に基づいて本発明にかかる実施形態を説明する。
【００２２】
［電子カメラの構成説明］
図１は、本実施形態における電子カメラ１１の構成を示す図である。
図１において、電子カメラ１１には、撮影レンズ１２が装着される。この撮影レンズ１２は、レンズ駆動機構１２ａによって焦点調節が行われる。この撮影レンズ１２の像空間には、撮像素子１３の受光面が配置される。この撮像素子１３の出力は、ＡＤ変換部１４および信号処理部１５を介して処理された後、バッファメモリ１６に記録される。
【００２３】
このバッファメモリ１６のデータバスには、画像処理部１７および画像圧縮部１８がそれぞれ接続される。
マイクロプロセッサ３９は、画像圧縮部１８を介して焦点検出エリアの画像データを取得し、これら焦点検出エリアのコントラストを検出する。マイクロプロセッサ３９は、このコントラストが高くなる方向にレンズ駆動機構１２ａを制御することにより、撮影レンズ１２を焦点制御する。
【００２４】
この画像処理部１７で処理された『モニタ用の画像データ』は、表示部４０に与えられる。表示部４０は、このモニタ用の画像データと、マイクロプロセッサ３９から与えられる表示データとを合成して、電子カメラ１１の表示画面（不図示）に表示する。なお、この表示画面には、指やペンなどでの接触位置を読み取るタブレット部４１が設置される。このタブレット部４１で読み取られた位置データは、マイクロプロセッサ３９に与えられる。
一方、画像処理部１７で処理された『記録用の画像データ』は、画像圧縮部１８に与えられる。
【００２５】
この画像圧縮部１８は、下記のような構成要件▲１▼〜▲７▼を備える。
▲１▼タイル処理部２１
▲２▼ウェーブレット変換部２２
▲３▼量子化部２３
▲４▼ビットモデリング部２４
▲５▼算術符号化部２５
▲６▼ビットストリーム生成部２６
▲７▼ＲＯＩ設定部２７
なお、これら構成要件▲１▼〜▲７▼の具体的な処理動作については、上述した従来例で説明済みのため、ここでの説明を省略する。
【００２６】
このような画像圧縮部１８において生成された圧縮ファイルは、記録部３２に与えられる。記録部３２は、この圧縮ファイルを、メモリカード３３に記録保存する。
さらに、電子カメラ１１の筐体には、レリーズ釦，十字キー，および設定釦などからなる操作部３８が設けられる。操作部３８の出力信号は、マイクロプロセッサ３９に与えられる。このマイクロプロセッサ３９は、電子カメラ１１をシステム制御するためのマイクロプロセッサであり、画像処理部１７や画像圧縮部１８などと信号線を介して接続される。
【００２７】
［発明との対応関係］
以下、発明と本実施形態との対応関係について説明する。なお、ここでの対応関係は、参考のために一解釈を例示するものであり、本発明を徒らに限定するものではない。
請求項記載の撮像部は、撮像素子１３に対応する。
請求項記載のガイド部は、マイクロプロセッサ３９の『操作部３８を介して撮影対象の種類選択を受け付け、この撮影対象に適合したガイド表示（推奨構図を案内するための表示）を決定する機能』に対応する。
請求項記載の表示部は、表示部４０に対応する。
請求項記載の圧縮処理部は、画像圧縮部１８、およびマイクロプロセッサ３９の『ＲＯＩ領域およびタイルを画像圧縮部１８に設定する機能』に対応する。
請求項記載のタブレット部は、タブレット部４１に対応する。
焦点制御部は、レンズ駆動機構１２ａ，およびマイクロプロセッサ３９に対応する。
操作部は、操作部３８，およびマイクロプロセッサ３９の『ＲＯＩ領域やタイルの指示入力を受け付ける機能』に対応する。
【００２８】
［本実施形態の動作説明］
図２および図３は、本実施形態の動作を説明する流れ図である。以下、これら図に示すステップ番号に従って、本実施形態の動作を説明する。
【００２９】
ステップＳ１：  撮影前に、ユーザーは、操作部３８を操作して、撮影対象の種類選択を電子カメラ１１に入力することができる。マイクロプロセッサ３９は、この撮影対象の種類選択に対応して、予め定められたガイド表示を選択する。このガイド表示は、図４（Ａ）に示すような推奨構図を案内するための表示パターンである。
【００３０】
ステップＳ２：  さらに、ユーザーは、操作部３８を操作して、焦点検出エリアの選択操作を行うことができる。この選択結果は、後述する焦点制御時にデータ参照できるよう、マイクロプロセッサ３９が記憶する。
【００３１】
ステップＳ３：  撮像素子１３は、ドラフトモード（水平ラインを間引いて高速フレームレートで読み出す撮像モード）で動作することにより、モニタ用の画像データを撮像する。
【００３２】
ステップＳ４：  マイクロプロセッサ３９は、モニタ用の画像データから、現在選択中の焦点検出エリアに該当する領域を抽出し、この抽出領域のコントラストを検出する。マイクロプロセッサ３９は、レンズ駆動機構１２ａを介して、このコントラストが高くなる方向へ撮影レンズ１２を焦点制御する。
なお、画面内のコントラスト移動を検出することで、主要被写体の画面内移動を追跡し、その追跡軌跡に合わせて選択中の焦点検出エリアを移動させてもよい。
【００３３】
ステップＳ５：  表示部４０は、画像処理部１７で処理されたモニタ用の画像データをモニタ表示する。
なお、ステップＳ１においてガイド表示の選択操作が為された場合、表示部４０は、モニタ用の画像データにガイド表示を合成した上で、モニタ表示する。
通常、ユーザーは、このガイド表示に合わせて主要被写体の画面内位置を調整して、撮影構図を決定する。
【００３４】
ステップＳ６：  ここで、マイクロプロセッサ３９は、レリーズ釦が全押しされたか否かを判定する。
レリーズ釦が全押しされていない場合、マイクロプロセッサ３９はステップＳ１に動作を戻す。
一方、レリーズ釦が全押しされた場合、マイクロプロセッサ３９はステップＳ７に動作を進める。
【００３５】
ステップＳ７：  撮像素子１３は、高解像度モード（高解像度で読み出す撮像モード）で動作することにより、記録用の画像データを撮像する。
【００３６】
ステップＳ８：  マイクロプロセッサ３９は、電子カメラ１１の設定が単写モードか否かを判定する。
ここで、単写モードの場合、マイクロプロセッサ３９は、ステップＳ９に動作を移す。
一方、連写モードの場合、マイクロプロセッサ３９は、後述するステップＳ１１に動作を移す。
【００３７】
ステップＳ９：  画像処理部１７は、この記録用の画像データからクイックビュー用の画像データを生成し、表示部４０に出力する。表示部４０は、このクイックビュー画像（静止画）を撮影結果としてモニタ表示する。
【００３８】
ステップＳ１０：  このクイックビュー画像の表示中、マイクロプロセッサ３９は、タブレット部４１および十字キーの操作入力を監視する。
ここで、所定時間（操作入力の意志がないと判断できる時間）を経過しても操作入力が無い場合、マイクロプロセッサ３９は、後述するステップＳ１１に動作を移行する。
一方、タブレット部４１の操作入力があった場合、マイクロプロセッサ３９は後述するステップＳ１７に動作を移行する。
また、十字キーの操作入力があった場合には、マイクロプロセッサ３９は後述するステップＳ１８に動作を移行する。
【００３９】
ステップＳ１１：  マイクロプロセッサ３９は、『ガイド表示』と『現在選択中の焦点検出エリア』との整合性を判断する。
例えば、『ガイド表示が推奨する主要被写体の配置位置』と『現在選択中の焦点検出エリア』とが一致していれば、『整合する』と判断できる。この場合、ガイド表示の推奨する範囲に主要被写体が位置している可能性が高い。
一方、『ガイド表示が推奨する主要被写体の配置位置』と、『現在選択中の焦点検出エリア』とがずれている場合、『整合しない』と判断できる。この場合、ガイド表示とは異なる位置に主要被写体が配置されている可能性が高い。
【００４０】
ステップＳ１２：  『整合する』という判定結果の場合、マイクロプロセッサ３９はステップＳ１３に動作を移行する。
一方、『整合しない』という判定結果の場合、マイクロプロセッサ３９はステップＳ１４に動作を移行する。
【００４１】
ステップＳ１３：  ここでは、ガイド表示と焦点検出エリアとが整合しているため、ガイド表示が推奨する範囲内に主要被写体が配置されている可能性が高い。そこで、ガイド表示が推奨する配置範囲を、主要被写体の画像領域として推定する。
例えば、図４（Ａ）に示す人型のガイド表示５０の場合には、人型の全体や、人型の顔部分や、顔型の眼周辺などを、主要被写体の画像領域と推定する。
このような推定動作の後、マイクロプロセッサ３９は、後述するステップＳ１５に動作を移行する。
【００４２】
ステップＳ１４：  ここでは、ガイド表示と焦点検出エリアとが整合していないため、ガイド表示とは無関係に主要被写体が配置されている可能性が高い。そこで、マイクロプロセッサ３９は、現在選択中の焦点検出エリアを含むように所定範囲を設定し、その所定範囲を主要被写体が存在する画像領域と推定する。
例えば、現在選択中の焦点検出エリアを含む範囲から、『コントラスト判定から判断される合焦範囲』や『エッジ（画面フレームも含む）に囲まれた領域』を選別して、主要被写体の画像領域と推定してもよい。
【００４３】
ステップＳ１５：  マイクロプロセッサ３９は、推定した主要被写体の画像領域をマスクする二値化ビットマップを生成し、ＲＯＩ領域としてＲＯＩ設定部２７に設定する。
図４（Ｂ）は、ガイド表示５０から生成されるＲＯＩ領域５１を示す図である。この場合、ガイド表示５０の人型全体をＲＯＩ領域５１とする。
一方、図５（Ａ）は、現在選択中の焦点検出エリア６０から生成されるＲＯＩ領域６１を示す図である。この場合、現在選択中の焦点検出エリア６０を含む所定領域をＲＯＩ領域６１とする。
【００４４】
ステップＳ１６：  続いて、マイクロプロセッサ３９は、推定した主要被写体の画像領域をタイル区分の境界が通過しないよう、タイル区分のサイズとオフセットを決定する。マイクロプロセッサ３９は、決定したタイル区分のサイズおよびオフセットを、タイル処理部２１に設定する。
図４（Ｃ）は、ガイド表示５０から生成されるタイル５２を示す図である。この場合、ガイド表示５０の顔部分にタイル区分の境界が通過しないように、タイル５２を設定する。
一方、図５（Ｂ）は、現在選択中の焦点検出エリア６０から生成されるタイル６２を示す図である。この場合、現在選択中の焦点検出エリア６０がタイルの略中心に位置するように、タイル６２を設定している。
このようにＲＯＩ領域およびタイルの設定を完了した後、マイクロプロセッサ３９はステップＳ２０に動作を移行する。
【００４５】
ステップＳ１７：  ここでは、タブレット操作を検知したため、マイクロプロセッサ３９は、ユーザーが表示画面上を指などで触って、主要被写体の範囲指定を行っていると判断する。そこで、マイクロプロセッサ３９は、タブレット部４１を介して、指などの接触軌跡を読み取る。マイクロプロセッサ３９は、この接触軌跡に従って、ＲＯＩ領域およびタイルの設定を行う。
例えば、図６（Ａ）に示すように、接触軌跡がほぼ閉領域と判断できる場合、マイクロプロセッサ３９は、この閉領域をＲＯＩ領域５３に設定する。また、タイル区分の境界がこの閉領域を通過しないように、マイクロプロセッサ３９は、タイル区分のサイズおよびオフセットを設定する。
また例えば、図６（Ｂ）に示すように接触軌跡がほぼ直線状である場合、マイクロプロセッサ３９は、この接触軌跡を対角線とする矩形を求め、この矩形に内接する閉領域（人型，楕円，矩形など）をＲＯＩ領域５４に設定する。また、タイル区分の境界がこの閉領域を通過しないように、マイクロプロセッサ３９は、タイル区分のサイズおよびオフセットを設定する。
なお、人型の入力について、図６（Ｃ）に示すように、接触軌跡を対角線とする矩形の縦横比に応じて、人型のパターン数を適切に調整する。これにより、複数人数分の人型を迅速かつ簡易に入力することが可能になる。
このようにＲＯＩ領域およびタイルの設定を完了した後、マイクロプロセッサ３９はステップＳ２０に動作を移行する。
【００４６】
ステップＳ１８：  ここでは、十字キーの操作を検知したため、マイクロプロセッサ３９は、ユーザーが十字キーを操作して、主要被写体の範囲指定を行うと判断する。そこで、マイクロプロセッサ３９は、領域区分を示すグリッドの表示を表示部４０に指示する。表示部４０は、図７（Ａ）や図７（Ｂ）に示すように、表示画面のクイックビュー表示に重ねてグリッドを表示する。
【００４７】
ステップＳ１９：  ユーザーは、十字キー６６の上下左右を押すことにより、グリッドの区画に沿ってフォーカス（カーソル）を移動させる。このとき、ユーザーは、十字キー６６の中央を押すことによって、現在フォーカスのある領域を選択する。この領域選択を一回のみ受け付けることにより、図７（Ａ）に示すように、画面内の特定の区画（斜線ハッチングの領域）を迅速に選択することができる。
また、上述した領域選択を複数回繰り返すことにより、図７（Ｂ）に斜線ハッチングで示すような複雑な形状の領域を入力することもできる。
マイクロプロセッサ３９は、このように選択された領域をＲＯＩ領域６７，６８に設定する。さらに、マイクロプロセッサ３９は、タイル区分の境界がこの領域を通過しないように、タイル６９のサイズとオフセットを設定する。
なお、図８に示すように、ＲＯＩ領域７１の範囲や位置を示す指標７０を、十字キーの操作により移動または拡大縮小することにより、ＲＯＩ領域７１の領域指定を行ってもよい。この場合、マイクロプロセッサ３９は、タイル区分の境界がＲＯＩ領域７１を通過しないように、タイル７２のサイズとオフセットを設定する。
このようにＲＯＩ領域およびタイルの設定を完了した後、マイクロプロセッサ３９はステップＳ２０に動作を移行する。
【００４８】
ステップＳ２０：  画像圧縮部１８は、設定されたＲＯＩ領域およびタイル区分に従って、ＪＰＥＧ２０００に準拠した画像圧縮を実施する。
【００４９】
［本実施形態の効果など］
以上説明したように、本実施形態では、下記の判断材料を駆使して、ＲＯＩ領域およびタイル区分を設定することができる。
（１）ガイド表示
（２）現在選択中の焦点検出エリア
（３）タブレット部４１の領域入力
（４）十字キーによる領域指定
【００５０】
特に、本実施形態では、図２および図３の流れ図に示すように、これら複数の判断材料（１）〜（４）を操作状況に応じて使用することで、ユーザーの考えに沿った主要被写体を従来よりも確実に選別することが可能になった。
その結果、より適切な主要被写体に合わせてＲＯＩ領域およびタイルを設定することが可能になり、主要被写体の圧縮劣化を確実に回避することが可能になった。
【００５１】
［本実施形態の補足事項］
なお、上述した実施形態では、ＪＰＥＧ２０００に準拠した画像圧縮を行うケースについて説明した。しかしながら、本発明はこれに限定されない。一般的には、ＲＯＩ符号化やタイル単位に画像圧縮を行うものであれば本発明を適用できる。
【００５２】
また、上述した実施形態では、十字キーによる領域指定について説明した（図２のステップＳ１９）。しかしながら、本発明の操作部は十字キーに限定されるものではない。例えば、電子カメラのズーム釦やレリーズ釦などの操作部を、領域指定の操作部に使用してもよい。
【００５３】
なお、上述した実施形態において、ＲＯＩ領域（ここでは主要被写体と推定される画像領域）を選択的にＲＡＷデータの形式で記録してもよい。
【００５４】
また、上述した実施形態において、被写体を撮像して得られた画像信号中から、特定の色成分（例えば、人物の肌色成分）を検出し、検出した特定色成分の領域を含むように、ＲＯＩ領域および／またはタイルを領域設定してもよい。このような動作では、主要被写体の画面内位置を特定色成分によって検出して、ＲＯＩ領域やタイルを適切に設定することができる。さらに、電子カメラが、特定色成分の検出によってＲＯＩ領域やタイルを自動設定してもよい。この場合、ユーザーはＲＯＩ領域やタイルを別途入力する必要がなくなり、撮影行為に専念することが可能になる。
【００５５】
【発明の効果】
《請求項１》
請求項１の電子カメラでは、ガイド表示に応じて、ＲＯＩ領域および／またはタイルを選定する。
通常、ユーザーは、このガイド表示に合わせて、主要被写体を画面内配置する。そのため、ガイド表示から主要被写体の位置や範囲を推定し、この主要被写体の位置や範囲に合わせてＲＯＩ領域および／タイルを選定することが可能になる。この場合、主要被写体の圧縮劣化をより確実に改善できる。
さらに、請求項１の電子カメラでは、撮影シーンに応じてガイド表示を選択するというユーザ操作に従って、ＲＯＩ領域やタイルの設定操作が行われる。そのため、ユーザーはＲＯＩ領域やタイルを新たに入力する必要が特になく、撮影行為に一段と専念できるようになる。
【００５６】
《請求項２》
請求項２の電子カメラでは、表示画面上のタブレット入力に応じて、ＲＯＩ領域および／またはタイルを選定する。
その結果、ユーザーは、電子カメラの表示画面の上で、直接的かつ直感的にＲＯＩ領域および／またはタイルを指定できるようになる。
特に、タブレット部から不定形状の領域入力を受け付けた場合には、複雑な形状のＲＯＩ領域を簡易に指定できるようになる。
【００５７】
《請求項３》
請求項３の電子カメラでは、撮影時に選択使用された焦点検出エリアに対応して、ＲＯＩ領域および／またはタイルを選定する。
通常、選択使用された焦点検出エリアには、主要被写体が存在する確率が高い。そのため、この焦点検出エリアから主要被写体の位置を推定し、この主要被写体の位置に合わせてＲＯＩ領域および／タイルを選定することが可能になる。この場合、主要被写体の圧縮劣化をより確実に改善できる。
この場合、焦点検出エリアの選択操作という通常の撮影の流れの中で、ＲＯＩ領域やタイルの領域設定を設定することができる。また例えば、電子カメラが被写界の状況判断に応じて焦点検出エリアを自動選択するケースでは、その焦点検出エリアの選択結果を流用して、ＲＯＩ領域やタイルを自動選定することも可能になる。
このような動作により、ユーザーはＲＯＩ領域やタイルを別途入力する必要が特になくなり、撮影行為に一段と専念できるようになる。
【００５８】
《請求項４》
請求項４の電子カメラでは、領域区分された画像データを見ながら、操作部を使用してＲＯＩ領域および／またはタイルを直感的に指定することができる。
特に、複数の画像領域を選択可能にした場合には、これら画像領域の組み合わせによって、複雑な形状のＲＯＩ領域を直接的かつ簡単に指定できる。
【００５９】
《請求項５》
請求項５の電子カメラでは、電子カメラの表示画面を見ながら、操作部を使用して指標の表示位置を移動させることで、ＲＯＩ領域および／またはタイルを直接的かつ簡単に指定することができる。
【図面の簡単な説明】
【図１】本実施形態における電子カメラ１１の構成を示す図である。
【図２】本実施形態の動作を説明する流れ図（１／２）である。
【図３】本実施形態の動作を説明する流れ図（２／２）である。
【図４】ガイド表示に基づいてＲＯＩ領域およびタイルを選定する様子を示す図である。
【図５】選択中の焦点検出エリアに基づいてＲＯＩ領域およびタイルを選定する様子を示す図である。
【図６】タブレット入力に基づいてＲＯＩ領域およびタイルを選定する様子を示す図である。
【図７】十字キーの操作入力に基づいてＲＯＩ領域およびタイルを選定する様子を示す図である。
【図８】十字キーの操作入力に基づいてＲＯＩ領域およびタイルを選定する様子を示す図である。
【符号の説明】
１１  電子カメラ
１２  撮影レンズ
１２ａ  レンズ駆動機構
１３  撮像素子
１４  ＡＤ変換部
１５  信号処理部
１６  バッファメモリ
１７  画像処理部
１８  画像圧縮部
２１  タイル処理部
２２  ウェーブレット変換部
２３  量子化部
２４  ビットモデリング部
２５  算術符号化部
２６  ビットストリーム生成部
２７  ＲＯＩ設定部
３２  記録部
３３  メモリカード
３８  操作部
３９  マイクロプロセッサ
４０  表示部
４１  タブレット部
【図１】
2005027076.tif 000003
【図２】
2005027076.tif 000004
【図３】
2005027076.tif 000005
【図４】
2005027076.tif 000006
【図５】
2005027076.tif 000007
【図６】
2005027076.tif 000008
【図７】
2005027076.tif 000009
【図８】
2005027076.tif 000010